(57)【特許請求の範囲】
【請求項１】
トロカールスリーブが患者の体壁を通って伸長する間に、該トロカールスリーブを有するトロカールを支持するためのトロカール支持装置であって、
トロカールへの取り付けのために配された、トロカールとは別の要素であり、
トロカールスリーブの外面で受けられるように形作られた当接部材であって、選択された位置に位置するように、トロカールスリーブの長手方向に調整可能なように配される当接部材と、
流体源によってあらかじめ決められた大きさまで膨張することができる、トロカールスリーブのまわりで伸長する少なくとも１つの膨張部材とを備え、
前記少なくとも１つの膨張部材は、当接部材から一定間隔を置いた位置でトロカールスリーブ上に取り付けられるように配され、収縮した前記少なくとも１つの膨張部材は、トロカールスリーブ上で、体壁の切開部位を通って体壁内に挿入可能であり、および、体壁の内面と係合するように挿入されるときに膨張可能であり、当接部材は、当接部材と前記少なくとも１つの膨張部材との間で体壁を維持するために適所に移動することができ、
流体源は、一定の体積を提供し、一定の大きさのみまでの膨張を可能にする、および一定の体積を伝達するための手動によって操作可能なポンプ機構であり、および
一定の体積およびポンプ機構を含む流体源は、トロカール支持装置の当接部材上にある、
ことを特徴とするトロカール支持装置。
【請求項２】
チューブは、トロカール支持装置上の流体源を前記少なくとも１つの膨張部材に接続する、ことを特徴とする請求項１に記載のトロカール支持装置。
【請求項３】
チューブはトロカールのスリーブの周りに螺旋状に巻き付けられる、ことを特徴とする請求項２に記載のトロカール支持装置。
【請求項４】
前記少なくとも１つの膨張部材は、トロカールスリーブ上へ広げることができるスリーブ部分を含む、ことを特徴とする請求項１乃至３のいずれか１項に記載のトロカール支持装置。
【請求項５】
前記少なくとも１つの膨張部材と当接部材は、トロカールスリーブに係合し、および、それに沿って軸方向に移動することができる、共通する環部分を形成する、ことを特徴とする請求項１乃至４のいずれか１項に記載のトロカール支持装置。
【請求項６】
前記共通する環部分は、展開時に、別々の膨張部材と当接部材とに分離する、ことを特徴とする請求項５に記載のトロカール支持装置。
【請求項７】
ポンプは、ラッチが開放されるまで、取り除くことが必要になるまで膨張を維持するために圧縮状態で保たれるラッチを含み、ラッチが開放された際に、ポンプを収納し、膨張部材から流体の一定の体積を抽出するためのばねを備えている、ことを特徴とする請求項１乃至６のいずれか１項に記載のトロカール支持装置。
【請求項８】
トロカールスリーブが患者の体壁を通って伸長する間に、トロカールスリーブを有するトロカールを支持するためのトロカール支持装置であって、
前記トロカール支持装置は、トロカールへの取り付けのために配された別の要素であり、
前記トロカール支持装置は、トロカールスリーブの外面で受けられるように形作られた当接部材を備え、
当接部材は、選択された位置に位置するように、トロカールスリーブの長手方向に調整可能なように配され、
流体源によってあらかじめ決められた大きさまで膨張することができる、トロカールスリーブのまわりで伸長する少なくとも１つの膨張部材を備え、
少なくとも１つの膨張部材は、当接部材から一定間隔を置いた位置でトロカールスリーブ上に取り付けられるように配され、その結果、収縮した前記少なくとも１つの膨張部材は、トロカールスリーブ上で、体壁の切開部位を通って体壁内に挿入可能であり、および、体壁の内面と係合するように挿入されるときに膨張可能であり、その結果、当接部材は、当接部材と前記少なくとも１つの膨張部材との間で体壁を維持するために適所に移動することができ、
流体源は、一定の体積を提供し、一定の大きさのみまでの膨張を可能にし、
流体源は、トロカール支持装置に位置付けられ、手動で圧縮可能なポンプを備え、
ポンプは、ラッチが開放されるまで、取り除くことが必要になるまで膨張を維持するために圧縮状態で保たれるラッチを含み、ラッチが開放された際に、ポンプを収納し、膨張部材から流体の一定の体積を抽出するためのばねを備えている、
ことを特徴とするトロカール支持装置。
【請求項９】
チューブは、トロカール支持装置上の流体源を前記少なくとも１つの膨張部材に接続する、ことを特徴とする請求項８に記載のトロカール支持装置。
【請求項１０】
チューブはトロカールのスリーブの周りに螺旋状に巻き付けられる、ことを特徴とする請求項９に記載のトロカール支持装置。
【請求項１１】
前記少なくとも１つの膨張部材と当接部材は、トロカールスリーブに係合し、および、それに沿って軸方向に移動することができる、共通する環部分を形成する、ことを特徴とする請求項８乃至１０のいずれか１項に記載のトロカール支持装置。
【請求項１２】
当接部材は、トロカールスリーブに係合するために手動で操作可能なクランプを含む環を備える、ことを特徴とする請求項８乃至１１のいずれか１項に記載のトロカール支持装置。
【発明の詳細な説明】
【技術分野】
【０００１】
本発明は、患者の体壁を通った位置にトロカールを位置付けてそこで保持するように配された装置に関する。
【背景技術】
【０００２】
多くの先行技術文献は、トロカール（または他の壁貫通デバイス）が外部の当接部と内部の膨張したバルーンによって適所で保持される配置を提供している。
【０００３】
Ｍａｔｔｈｅｗｓに１９６６年に発行された特許文献１は、ねじによって適所で保持される当接部を形成する外部の平座金と、内部の膨張式のバルーンを備えた、この種の洗練されていない配置（腹腔カニューレと呼ばれる（ｐｅｒｉｔｏｎｅａｌ ｃａｎｎｕｌａ））を示している。バルーンは、断面図が環状であることもないこともある簡素な管である管腔を通って外部の供給源からの食塩水の供給によって膨張する。
【０００４】
Ｎａｗａｚに１９８９年に発行された特許文献２は、ねじによって適所で保持された外部のドーム型座金と内部の膨張式のバルーンとを備えた、胃瘻チューブと呼ばれるこの種のより効率的に設計されたものを示している。バルーンは、外部の供給源からの空気の供給によって外部ポートを通るチューブの内部の経路を通って膨張する。
【０００５】
その後の多くの特許は、Ｎａｗａｚの配置を改善したものとして引用されている。
【０００６】
多くの公表された出願において、Ａｐｐｌｉｅｄ  Ｍｅｄｉｃａｌ  Ｒｅｓｏｕｒｃｅｓ（Ａｌｂｒｅｃｈｔら）は、トロカールに膨張式の環を付けることは既知であることを開示している。
【０００７】
例えば、特許文献３と特許文献４は、バルーンを備えたカニューレとしてスリーブを主張しているが、吸入口からバルーンまでの流体連通を供給するために、環状の溝と長手方向の経路の使用に限定されている。
【０００８】
特許文献５は、第１と第２の膨張式の部分またはバルーンと、吸入ポートを主張している。この文献は、既存のトロカールへの取り付けのための別の装置として、保持デバイスを形成することができると述べている。これは新しい観念ではない。
【０００９】
Ｚｉｓｏｗの特許文献６は、トロカールからの取り外しに耐えるように回転するトロカールスリーブのヒンジで留められた端部を供給する。
【００１０】
Ｔｅｌｆｌｅｘ  ＭｅｄｉｃａｌとＡｐｐｌｉｅｄ  Ｍｅｄｉｃａｌ  Ｒｅｓｏｕｒｃｅｓは両社とも、関連商品と膨大な数の以前の特許を有しているように思われるが、この問題に対する追加の特許または関連する出願は１つもない。
【００１１】
本明細書で述べられる出版物、特許、および、特許出願はすべて、出版物、特許、または、特許出願それぞれが、参照することにより具体的にかつ個別に組み込まれるよう示されるのと同じ程度まで、参照することにより本明細書に組み込まれ、あるいは、そのようなデバイスのさらなる詳細について参照されてもよい。
【先行技術文献】
【特許文献】
【００１２】
【特許文献１】米国特許第３，２５３，５９４号
【特許文献２】米国特許第４，８６１，３３４号
【特許文献３】米国２００７／０２３９１０８号
【特許文献４】米国２００７／０２１３６７５号
【特許文献５】米国２００９／０２２１９６０号
【特許文献６】米国２０１０／００８１９９４号
【発明の概要】
【発明が解決しようとする課題】
【００１３】
本発明は、医療処置の間にトロカールを適所で保持するのを助けるために、既存のトロカールと共に使用することができるトロカール支持体を提供することを１つの目的としている。
【課題を解決するための手段】
【００１４】
本発明の１つの態様によれば、トロカールが患者の体壁を通って伸長する間に、トロカールを支持するためのトロカール支持装置が提供され、
該支持装置は、
流体源によってあらかじめ決められた大きさまで膨張することができる、トロカールのまわりで伸長する少なくとも１つの膨張部材を備え、
流体源はトロカール支持装置にあることで、トロカール支持装置によって支えらていれる。
【００１５】
本発明の第２の態様によれば、トロカールが患者の体壁を通って伸長する間に、トロカールを支持するためのトロカール支持装置が提供され、
該支持装置は、
流体源によってあらかじめ決められた大きさまで膨張することができる、トロカールのまわりで伸長する少なくとも１つの膨張部材を備え、
流体源は、トロカール支持装置の一部を形成するポンプ機構であり、手動によって操作可能である。
【００１６】
本発明の第３の態様によれば、トロカールが患者の体壁を通って伸長する間に、トロカールを支持するためのトロカール支持装置が提供され、
該支持装置は、
流体源によってあらかじめ決められた大きさまで膨張することができる、トロカールのまわりで伸長する少なくとも１つの膨張部材を備え、
流体源は、一定の体積を提供し、一定の大きさのみまでの膨張を可能にする。
【００１７】
好ましくは、膨張式の部材は、トロカールを囲む環を備える。
【００１８】
１つの配置では、トロカール支持装置は、トロカールそれ自体と一体構造を形成し、その結果、それらは共通の要素として供給および使用される。しかしながら、トロカールが後半に利用可能で種類が異なるため、スリーブの一般的な形態の別の要素としてトロカール支持装置を提供することが往々にして適切である。その結果、トロカールは、患者の切開部位へ挿入するために、スリーブに取り付けられたものを挿入することができる。
【００１９】
したがって、好ましくは、トロカール支持装置は、トロカールへの取り付けのために配された別の要素であり、トロカール支持装置は、トロカールスリーブの外面で受けられるように形作られた当接部材を含み、当接部材は、選択された位置に位置するように、トロカールスリーブの長手方向に調整可能なように配され、前記少なくとも１つの膨張部材は、当接部材から一定間隔を置いた位置でトロカールスリーブ上に取り付けられるように配され、その結果、収縮した前記少なくとも１つの膨張部材は、トロカールスリーブ上で、体壁の切開部位を通って体壁内に挿入可能であり、体壁の内面と係合するように挿入されたときに膨張可能であり、その結果、当接部材は、当接部材と前記少なくとも１つの膨張式の部材との間で体壁を維持するために適所に移動することができる。
【００２０】
しかしながら、トロカール支持装置は、トロカール自体の一体部分を形成し、複合構造として供給されてもよい。
【００２１】
１つの配置では、流体源は当接部材上で支えられる。しかしながら、流体源は、トロカール支持装置の別の部品上で、それと一体化したアイテムとして支えられ、その結果、トロカール支持装置全体が必要な膨張デバイスを含んでいる。これにより、必要とされる量の膨張流体を提供するために、膨張デバイスが適切かつ容易に制御可能となる。
【００２２】
したがって、好ましくは、流体源は手動で操作可能なポンプである。しかしながら、他の１回分の量の流体がデバイスの一部として提供可能である。
【００２３】
好ましくは、チューブは、トロカール支持装置上の流体源を膨張式の環に接続する。チューブはトロカールのスリーブの周りに螺旋形に巻き付けることができ、その結果、トロカールに沿ったその軸長さは、延びることなく、または、その動作に影響を与えることなく、調節することができる。
【００２４】
好ましくは、チューブは円形断面であるが、しかしながら、場合によっては、チューブは、トロカールのスリーブに対して平らになるように平らな断面を有し得るため、トロカールスリーブをチューブからの干渉なく切開部位を通って挿入することが可能となる。
【００２５】
好ましくは、膨張式の環は、挿入の間にトロカールに沿って長手方向にスリップしないようにするために、トロカールの長さに沿ってトロカールスリーブの周囲に係合するようにトロカールスリーブ上へ広げることができるスリーブ部分を含んでいる。
【００２６】
好ましくは、膨張式の環と当接部材は、トロカールスリーブに係合してそれに沿って軸方向に移動可能な共通する環部分を形成する。したがって、それらは、トロカールスリーブの外部上に適用され、その後の展開時に分離する、共通のアイテムとして始まる。
【００２７】
好ましくは、柔軟な膨張式の環を支持するプラスチック性の堅い支持環が設けられる。支持環は当接部材に取り付けられ、当接部材とともにトロカールスリーブ上を移動する。膨張式の環が所定のその軸位置に到達すると、支持環は当接部材と膨張式の環から取り外し可能である。
【００２８】
好ましくは、支持環は、膨張式の環から支持環を解除するために手動で操作可能な解除部材を含んでいる。
【００２９】
好ましくは、支持環は、早すぎる膨張を防ぐために、流体源の手動で操作可能な要素に係合する剛性の保護カバーを含んでいる。
【００３０】
好ましくは、トロカールスリーブ上の所定の位置での軸方向移動に対して膨張式の環を保持するために、所定の軸の位置で膨張式の環で動作する手動で操作可能なデバイスが、支持環上に設けられる。
【００３１】
好ましくは、膨張式の環が所定の位置に到達すると、当接部材は、膨張式の環からトロカールスリーブに沿って軸方向に移動することができ、チューブは、当接部材が膨張式の環から離れると、トロカールスリーブに沿って伸張する。
【００３２】
好ましくは、当接部材は、トロカールスリーブに係合するために手動で操作可能なクランプを含む環を備えている。
【００３３】
好ましくは、流体源は、手動で操作可能な部材を含んでおり、該部材を押すことで、膨張式の環に流体を送り込むことができる。
【００３４】
好ましくは、トロカールスリーブ上の所定の位置での軸方向移動に対して膨張式の環を保持するために、所定の軸の位置で膨張式の環上で動作する手動で操作可能なデバイスが設けられる。
【００３５】
配置は、デバイス自体に流体源またはポンプを設けるという上記の概念から構成することができ、その結果、供給源は一定の量を提供して、一定の大きさのみまでの膨張を可能にする。
【００３６】
好ましい設計は、上部の当接部材に手動で作動するポンプ機構を組み込む。しかしながら、代替案として、手動で作動するポンプは、上部の当接部材から分離可能であるが、低膨張式の環に依然として永久的に接続され、一定の量の流体を送達する。そして、別の代替案として、手動で作動するポンプは、当接部材に取り付けることができ、必ずしも統合されるわけではない。
【００３７】
手動で作動するポンプがシステムの一部であるが、当接部材と一体になっていない配置も提供可能である。重要な点は、安全性、利便性、および正確さのため、その配置は、バルーンを完全に膨張させるのに必要とされる最適な量の流体を常に提供すること、そして、常に完全にバルーンの空気を抜くということである。過剰な膨張は、バルーンが患者の体内に挿入されている間に、および、トロカールを抽出する間に、バルーンを破裂させかねず、その一方で、バルーンが知らないうちに一部だけが空気が抜けていた場合、それは患者に深刻な損傷を結果として与えることもある。加えて、膨張が不十分な場合、処置の間にトロカールが適切に支持されないこともある。さらに、自給式な流体供給を有していることで、既存のトロカール外部ポートと混同しかねない外部の流体供給ポートが必要でなくなる。医療スタッフは、偶発的に誤ったポートへと接続してしまい、デバイスと処置を危険にさらすことがあるかもしれない。同様に、自給式の流体源を備えることで、外部の流体源を選択して、外部の供給源に接続するという追加の工程を除外する。最後に、外部の流体源が必要な場合、誤った外部の供給源（量または流体のいずれか）を選択してしまう危険性があり、過剰な膨張、不十分な膨張、または、不完全なガス放出によって、デバイスまたは処置を危険にさらすこともある。
【図面の簡単な説明】
【００３８】
本発明の１つの実施形態は、添付の図面とともにこれから記載される。
【図１】本発明にかかるトロカール支持体の第１の実施形態の側方正面図であり、一部が断面図になっている。
【図２】図１の実施形態の平面図である。
【図３】図１の実施形態の底面図である。
【図４】図１の実施形態の側面図であり、トロカール上に設置されて動作中の状態を示している。
【図５】トロカール上への設置の工程を示す、図１の実施形態の側面図である。
【図６】トロカール上への設置の工程を示す、図１の実施形態の側面図である。
【図７】トロカール上への設置の工程を示す、図１の実施形態の側面図である。
【図８】トロカール上への設置の工程を示す、図１の実施形態の側面図である。
【図９】トロカール上への設置の工程を示す、図１の実施形態の側面図である。
【図１０】本発明にかかるトロカール支持体の第２の実施形態の側面図であり、一部が断面図になっている。
【図１１】本発明にかかるトロカール支持体の第３の実施形態の側面図である。
【図１２】本発明にかかるトロカール支持体の第３の実施形態の側面図である。
【００３９】
図において、参照の類似する特徴は異なる図の対応する部分を示す。
【発明を実施するための形態】
【００４０】
図１〜９では、トロカール（１２）のスリーブ（１１）を支持するためにトロカール（１２）に取り付けるトロカール支持体（１０）が設けられており、スリーブ（１１）は患者の体壁（１３）を貫通する。
【００４１】
支持体（１０）は、トロカールスリーブの外面で受けられるように形作られた当接部材（１４）を含む。当接部材は、図４に示されるような選択された位置（１１Ａ）に位置付けられるようにトロカールスリーブ（１１）の長手方向に調整可能であるためにスリーブ（１１）に解放可能に接続するための手動で操作可能なオーバーセンタークランプ（１４Ｂ）を備えたスリーブを囲む環（１４Ａ）を形成する。
【００４２】
支持体（１０）は、位置（１１Ａ）の当接部材（１４）から一定間隔を置いた所要の位置（１５Ｂ）でトロカールスリーブ（１１）に取り付けるための膨張式の環（１５）を含んでいる。膨張式の環は、ポンプ（１７）からの流体、例えば、一般に空気または他の気体の供給源によって、供給管（１６）を通るあらかじめ決められた大きさまで膨張することができる。
【００４３】
図９に示されるように、空気を抜いた膨張式の環は、体壁の切開を介してトロカールスリーブに差し込むことができ、体壁（１３）の内面と係合するように位置（１５Ｂ）で図４に示される膨張した状態に挿入されるとき、管（１６）を通ってポンプ（１７）から膨張することができる。当接部材は、当接部材（１４）と膨張式の環（１５）の間に体壁（１３）を保持するために、位置（１１Ａ）に移動することができる。
【００４４】
ポンプ（１７）によって提供される流体の供給源は、トロカール支持体、とりわけ当接部材（１４）に位置付けられ、それによって運ばれる。ポンプ（１７）は、測定された体積の流体を膨張式の環に送るために、シリンダー（１７Ｂ）まで及ぶ手動で圧縮可能なボタン（１７Ａ）を含んでいる。ボタン（１７Ａ）は、取り除くことが必要になるまで膨張を維持するために圧縮状態で保たれるラッチ（図示せず）を有しており、その結果として、ラッチはボタン（１７Ａ）をさらに押すことで解放され、それによって、ばね（１７Ｃ）がボタンを押しやり、環（１５）から流体を抽出することが可能になる。
【００４５】
したがって、流体の供給源は、トロカール支持体の一部を形成するポンプ機構であり、手動で操作可能である。流体（１７）の供給源は、一定の大きさのみまでの環（１５）の膨張を可能にする、一定の量を与える。
【００４６】
管（１６）は、円形の断面をしており、あるいは、場合によっては、トロカールのスリーブに対して水平になるように平らな断面をしており、トロカールのスリーブの周りで螺旋形に巻かれている。したがって、管（１６）は、図１の当初の位置で示されるように順番に並んで圧縮可能であり、図９に示されるように軸方向に回転することができる。
【００４７】
膨張式の環（１５）は、図４に示されるようにトロカールスリーブ上に広げることができる、環の底縁から下方に伸びるスリーブ部分（１５Ａ）を含んでいる。図１に示される当初の位置では、環とスリーブは丸められて後の展開のための構造になっている。
【００４８】
図１で示されるように、膨張式の環（１５）と当接部材（１４）は共通の環部分（１０）を形成し、環部分（１０）は、トロカールスリーブ（１１）に係合し、それに沿って軸方向に、下方の挿入端部からトロカールスリーブの長さに沿った所要位置へと移動することができる。トロカールへの挿入のためにアセンブリを固定して傷つけずに保持するために、当接部材（１４）に取り付けられ、それとともにトロカールスリーブ上を移動する、膨張式の環（１５）を囲む支持環（１９）が設けられる。支持スリーブは、環（１５）を支える棚（１９Ｃ）を形成する中空内部（１９Ｂ）を備えた環（１９Ａ）を含んでいる。支持スリーブは、環を適所に保持し、環を保護し、デバイスが適所に移動している間に膨張式の環に触れる必要をなくすことで環の無菌状態を維持するのに役立つ。膨張式の環（１５）が図８に示されるような必要とされる軸位置に到達すると、支持環（１９）は、トロカール（１１）の端部方向へ当接部材および膨張式の環から軸方向に取り外し可能である。支持環（１９）は、膨張式の環（１５）から支持環（１０）を外すために、手動で操作可能な解除部材（１９Ｃ、１９Ｄ）を含んでいる。支持環（１９）は、解除が必要となるまで環（１５）を適所に保持するレバー（１９Ｄ）によって作動し、その結果、手動で操作可能な部材（１９Ｃ）は、レバーを解除し、環（１５）を広げ、その後、環（１５）から軸方向に離れるように環（１９）を動かすように作動する。図３に示されるように、部材（１９Ｃ）は、ローブ（１９）を備えたカムを形成することができ、ローブ（１９）は、長手軸（１９Ｆ）のまわりを回転して、レバーを解除して環（１５）を展開させるまで、レバー（１９Ｄ）を適所に保持する。レバー（１９Ｄ）にはばねを載せることができ、ばねは、レバーが解除されるとき、レバーが膨張式の環から離れて確実に回転するようにする。上記のカム配置の代わりとして、部材（１９Ｃ）が手動で操作可能な押しボタンであってもよく、一度押すとこれはレバー（１９Ｄ）を適所に保持し、再度押すとレバーを解除する。ボタンを押すとき、ボタンは、ボタンを押したまま保つラッチを有している。ラッチは、ボタンをさらに押して解除されることで、ボタンがばねによって押し出される。
【００４９】
支持環（１９）は、膨張式の環を保護するために堅くなるようにプラスチック材料から成型され、片側の面に保護カバー（１９Ｇ）を含んでおり、ポンプ（１７）の手動で操作可能なボタン（１７Ａ）に係合するカップを形成している。
【００５０】
膨張式の環（１５）が所望の軸の位置（１５Ｂ）に到達すると、当接部材（１４）は膨張式の環（１５）からトロカールスリーブに沿って軸方向に移動することができ、管（１６）は、当接部材が膨張式の環から離れると、トロカールスリーブに沿って伸張する。
【００５１】
図１０に示されるように、トロカールスリーブ上の所望の位置（１５Ｂ）での軸方向移動に対して膨張式の環（１５）を保持するために、トロカール上の所定の軸の位置（１５Ｂ）で膨張式の環（１５）上で動作するための、ボタン（１９Ｒ）によって操作可能な、支持環（１９）上の手動で操作可能なデバイス（１９Ｓ）が設けられる。このデバイス（１９Ｓ）が以下に記載されるような様々な技術を駆使して作動することで、環（１５）は膨張によって有効に固定されるまで、所定の位置に確実に留まることができる。
【００５２】
トロカールへのデバイスの適用後、および、トロカールが患者の体壁の切開部位に挿入される間、低膨張式の環が適所に確実に留まるようにするために、複数の構造についてさらなる注意を払う必要があることもある。したがって、例えば、以下の追加の構造物は、手動で操作可能なデバイス（１９Ｓ）として使用することができる：
【００５３】
コイル状の金属ばね材料の一部は、膨張式の当接部材の低膨張式の環の内部にまたは環に埋め込むことができる。トロカールが挿入されると、ばねは拡大するよう強いられ、膨張式の当接部材にトロカールのシースの壁を締めさせる。
【００５４】
環状のフェルール、コイル、または分割リングは、デバイスの支持環に組み込まれたスエージ工具を使用して、適所にスエージ加工されることができる。カム系は金属元素に力を加えるために使用され、その力は環状のフェルール、コイル、または分割リングの外径に伝えられ、その結果、それは塑性的に変形して膨張式の当接部材を適所で固定する。あるいは、図１０で示されたものに類似する、支持環に組み込まれたねじ山が刻設された圧縮継手システムは、フェルール、コイル、または分割リングを適所にスエージ加工するために使用することができる。支持環のねじ山が刻設された下部部分は、支持環のねじ山が刻設された上方部分に対して回転させることにより手動で操作可能であり、それにより両者を近づけて、環状のフェルール、コイル、または分割リングの外径へと力を伝達させ、その結果、それを塑性的に変形させて膨張式の当接部材を適所で固定する。
【００５５】
デバイスの支持環は、トロカールが適所に挿入されるまで、ばねのコイル／分割リングを開いたまま保持するための配置を有し得る。その後、ばねのコイル／分割リングが解除され、膨張式の当接部材の低膨張式の環にばねの力が加えられ、それはトロカールスリーブ上の位置へ固定される。
【００５６】
膨張式の当接部材の弾性の環の内径は接着性の表面を有しており、これは使える準備が整うまで覆われている。取り外し可能なデバイスの支持環は、膨張式の環を伸ばして開いたまま保持するための配置を有している。ひとたび接着剤が露わになると、トロカールは、膨張式の環が解除される位置に挿入される。
【００５７】
デバイスの支持環は、膨張式の当接部材により低膨張式の環に取り付けられた埋め込み式の細いワイヤーまたはバンドを締めあげる配置を有し得る。
【００５８】
加えて、本明細書に記載の配置は、以下のように使用することができる多くの代替的な配置や選択肢で修正することができる。
【００５９】
流体供給シリンダは、手動で操作可能な要素によって圧縮される流体袋（ｆｌｕｉｄ  ｂｌａｄｄｅｒ）と取り替えることができる。
【００６０】
バルーンの膨張により、議論されたようなトロカールスリーブにさらに膨張可能なものを固定しやすくする。
【００６１】
トロカールスリーブを囲む螺旋状の流体導管は、流体の流速の増加を可能にする楕円形または帯として形成可能であり、トロカールの周りで巻かれている間は全体の外径を小さくすることが可能となる。
【００６２】
上部と下部の当接部材を接続する流体導管は、トロカールの軸に沿って垂直に配することができ、上部の当接部材が下部の当接部材の方に移動している際、余分な流体導管は固定しなくてもよい。
【００６３】
別の選択肢は、上部の当接部材が、下部の当接部材の方へ移動すると余分な流体導管を自動で格納する機構を有することである。
【００６４】
大型のトロカールは大型の膨張式の部分を必要とし、したがって、膨張を達成させるためにより多くの流体を必要とする。これを収容するために、必要に応じて、既存の流体供給の反対側の場所に流体供給シリンダまたは袋をさらに設けてもよい。
【００６５】
別の手法は、（上部の当接部材内の）トロカールの一部のまわりに巻かれ、完全に圧縮したときに下部部分を完全に膨張させる十分な体積を有している、自己拡張式供給袋を利用することである。これは、袋、流体導管、および低膨張式の部分を含む、閉じた系である。
【００６６】
別の選択肢は、過剰な膨張を防ぐためのブリード弁と、下部部分がいつ完全に膨張し完全に空気が抜けるか示すインジケータとを備えた、手動のマルチストロークポンプを使用することである。ポンプはその後膨張のために逆さまにする。
【００６７】
流体送達システムを依然として利用するが、上部の当接部材の中に流体導管格納システムを有していない別の選択肢を提供することもできる。この場合、上部の流体供給は、トロカールスリーブの近位端の固定された位置にあるが、トロカールスリーブの軸に沿って移動する別の環は、上部の当接部材になる。流体導管は常に完全に伸張し、シースによってトロカールスリーブの外側に沿って適所で保持される。
【００６８】
上部の当接部材の頂部に示されたレバー機構は、トロカールのまわりで締まる環によってトロカール上の位置の上部当接部材を固定するために使用される。代替案は、一段と使いやすくするために、これを押しボタンにすることである。ボタンは、膨張ポンプが示されているのと同じ方法で、上部の当接部材の周辺に置かれる。ボタンを押すことでトロカールスリーブの壁に圧力が加えられ、それを適所で保持する。
【００６９】
デバイスは、支持環を使用することなく手動でトロカールスリーブ上に手動で設置することもできる。トロカールがデバイスに挿入され、膨張式の環はトロカールスリーブの軸に沿って引かれ、所望の位置で手動でトロカールスリーブ上に広げられる。
【００７０】
形態で著しく異なるものの、依然として一定の量の流体を送達するシステムを利用している、別のトロカールの概念が提供されてもよい。流体送達システムは、トロカールスリーブの近位端の適所に固定され、ひとたび所望の位置に達するとトロカールスリーブの長さに沿ってリブまたはリングを膨張させる。リングは頑丈な構成要素から構成可能であり、該要素は、トロカールスリーブの壁から突出するように空気圧で作動し、トロカールスリーブが引き抜かれるときに引っ込められる。別の配置では、どの環が膨張または作動するか制御することができる。上部当接部材または下部当接部材は存在しない。
【００７１】
回転することを必要とせずに、トロカール上に膨張式の当接部材を上げることが可能である。その場合、含めるべき３つの設計上の選択肢は以下の通りである。
【００７２】
ａ）デバイスの支持環は、トロカールが適所に挿入されるまで、広げた膨張式の当接部材の前縁を開いたまま保持するための配置を有し得る。トロカールはその後、開口部に押し込まれ、所望の位置になるまで押し出される。ひとたび適所にくると、開口部は解除される。
ｂ）デバイスの支持環は、トロカールが適所に挿入されるまで、広げられた膨張式の当接部材全体を開いたまま保持する手段を有している。その後、膨張式の当接部材が解除され、トロカールスリーブ上の適所にそれを固定する。
ｃ）使い捨てのチューブ状のフレームは、トロカールが適所にあるまで、膨張式の当接部材を開いたまま保持するために使用される。ひとたび所望の位置につくと、使い捨てのフレームは取り除かれ、トロカールスリーブの外径に膨張式の当接部材が残される。これは、デバイスの支持環の助けを借りて、または借りることなく達成される。支持環が用いられる場合、フレームは支持環と係合する。支持環が用いられない場合、フレームは、上部の当接部材の土台で、または、上部の当接部材の内径内に収まる経路を通って、デバイス自体と係合する。
【００７３】
図１１および１２は、本発明にかかるトロカール支持体の第３の実施形態の側面図であり、トロカール支持体がトロカール自体の一体部分である。
【００７４】
同様に、この場合、個別の膨張式の環はないが、その代わりに、トロカール自体が一連の膨張式の環を有している。
【００７５】
したがって、図１１および１２は、患者の体壁（１０６）中の切開部位を通して挿入する先端（１０５）を有するトロカールシャフト（１０２）を備えた、トロカール（１００）をそれぞれ示している。トロカールシャフトは、外壁に一連の環（１０１）を形成しており、環（１０１）は、シャフトの周りで環状であってもよく、シャフトに沿って螺旋形であってもよく、切開部位にトロカールシャフトを位置付けるように作用することができる。以前に記載されたように、体壁（１０６）の外部に係合するためにシャフトの端部に当接部材（１０３）が設けられ、当接部材は環（１０１）を膨張させるハンドポンプ（１０４）を支えている。したがって、先に記載されたように、流体源は、トロカール支持装置に位置することで該装置により支えられ、トロカール支持体の一部を形成するポンプ機構を提供し、手動で操作可能であり、流体源は一定の量を提供し、一定の大きさのみまでの膨張を可能にする。
【００７６】
この配置の方が、突出部が実際には並目ねじであり、トロカールスリーブを切開部位と筋膜に出し入れしなければならないこのタイプの従来の配置よりも、執刀医が患者に挿入して取り除くのに都合がよい。従来のねじ山が刻設されたトロカールを挿入するまたは取り除く間のねじり作用は、筋膜に損傷を与えかねない。記載された配置は、トロカールを挿入後、筋膜自体の内部に係合することを意図しており、したがって、ねじれ作用による起こり得る筋膜の損傷を回避する。
【００７７】
本発明の配置では、膨張は、トロカール自体の環部分で支えられる上記のタイプの膨張式の手動ポンプによって達成される。これにより、加えられる流体の量を制御し、別の流体源を必要としなくなる。
【図１】
0006399566.tif 000002
【図２】
0006399566.tif 000003
【図３】
0006399566.tif 000004
【図４】
0006399566.tif 000005
【図５】
0006399566.tif 000006
【図６】
0006399566.tif 000007
【図７】
0006399566.tif 000008
【図８】
0006399566.tif 000009
【図９】
0006399566.tif 000010
【図１０】
0006399566.tif 000011
【図１１】
0006399566.tif 000012
【図１２】
0006399566.tif 000013